(57)【要約】【課題】従来のハンガーは単に洋服類を掛けて吊すという本来の機能を大きく越えるものは存在せず、ハンガーは成熟商品としてその販売量が大きく伸びることはなかった。ハンガーの市場を拡大するために、従来に無い新しい付加価値を付加した新規な機能を持った商品の実現が要望されている。【解決手段】本発明は、ハンガーの本体の内部に音声発生装置を内蔵し、ハンガーの本体に衣類等が掛けられていかどうかの状態を検出するする検出手段を設け、検出手段の信号により音声発生装置の集積回路を動作させて音声や音楽等の音を発生するようにして遊びの感覚を持たせ、ハンガーの使用者にたいして癒しの機能や、商品の陳列に使用する場合には販売促進の機能を付加するようにしたものである。【選択図】              図１
2005034310.tif 000002
【特許請求の範囲】
【請求項１】
ハンガーの本体の内部に音声信号を発生する集積回路と該集積回路の信号を音声に変換するスピーカーよりなる音声発生装置を内蔵し、
ハンガーの本体に衣類等が掛けられているか否かの状態を検出し信号を発生するする検出手段を設け、
ハンガーに衣類を掛けた時又は衣類をはずした時に、検出手段の信号により音声発生装置の集積回路を動作させて音声や音楽等の音を発生するようにした音を発生する機能を持ったりハンガー。
【請求項２】
請求項１において、検出手段には、ハンガーに掛けられる衣類等の重量により動作されるスイッチを使用することを特徴とする音を発生する機能を持ったりハンガー。
【請求項３】
請求項２において、検出手段のスイッチは、上下方向に可動的に保持され、衣類等が掛けられていないた場合には、スプリングにより押し上げられているハンガーのフックにより動作されることを特徴とする音を発生する機能を持ったりハンガー。
【請求項４】
請求項２において、検出手段のスイッチは、ハンガーの衣類等が掛けられる位置にセットされ、衣類等の重量により直接スイッチを動作させることを特徴とする音を発生する機能を持ったりハンガー。
【発明の詳細な説明】
【０００１】
【発明の属する技術分野】
本発明は、ハンガー本体に内蔵した音声発生装置により、ハンガーに衣類を掛けた時やはずした時に、音声や音楽等を発生するようにした、音を発生する機能を持ったハンガーに関する。
【０００２】
【従来の技術】
従来、いろいろな機能を付加したハンガーが開発されているが、いずれもハンガー本来の単に洋服類を掛けて吊すというハンガー本来の機能に関連した装飾性等を満足させる機能等が中心の付加機能である。
このため、従来のハンガーは単に洋服類を掛けて吊すという本来の機能を大きく越えるものは存在せず、ハンガー本来の機能を大きく越えた付加価値を持ったものは存在しなかったため、ハンガーは成熟商品としてその販売量が大きく伸びることはなかった。
【０００３】
【発明が解決しようとする課題】
このような状況のハンガーの市場を拡大するために、ハンガーに従来に無い新しい付加価値を付加した新規な機能を持った商品の実現が要望されている。
【０００４】
【課題を解決するための手段】
本発明は、ハンガーの本体の内部に音声信号を発生する集積回路と集積回路の信号を音声に変換するスピーカーよりなる音声発生装置を内蔵し、ハンガーの本体に衣類等が掛けられていかどうかの状態を検出し信号を発生するする検出手段を設け、ハンガーに衣類を掛けた時やはずした時に、検出手段の信号により音声発生装置の集積回路を動作させて音声や音楽等の音を発生するようにして遊びの感覚を持たせ、ハンガーの使用者にたいして癒しの機能や、商品の陳列に使用する場合には販売促進の機能を付加するようにして、ハンガーの付加価値を増加させるようにしたものである。
【０００５】
【発明の実施の形態】
【実施例】
以下、図面に示す実施例について本発明を詳細に説明する。
図１は、本発明の音を発生する機能を持ったりハンガーの構成を説明する図である。
図１において、１は衣類等が掛けられるハンガーの本体である。２は、ハンガーの本体１を洋服掛け等につるすためのフックである。３はスプリングてある。フック２は、その上部２１が洋服掛け等に掛けやすい半円形に形成されその下部２２は、ハンガーの本体１の中心部に回動自在に挿入され、スプリング３を介して上下方向に可動的に保持されている。
４は、ハンガーの本体１に衣類等が掛けられていかどうかの状態を検出し信号を発生するする検出手段のスイッチである。スイッチ４は、フック２の下部２２により動作される。
５は、音声信号を発生する集積回路（ＩＣ）である。６は、音声信号を発生する集積回路５の信号を音声に変換するスピーカーである。
音声信号を発生する集積回路５は、検出手段のスイッチ４の信号によりその動作が制御される。
【０００６】
本発明の音を発生する機能を持ったりハンガーは、ハンガーの本体１に衣類等が掛けられたり、はずされたりした時に、この状態を検出手段のスイッチ４により検出し、音声信号を発生する集積回路５を一定期間動作させて、あらかじめ記憶させておいた音声や音楽をスピーカー６より発生させるようにしたものである。
以下に、本発明の音を発生する機能を持ったりハンガーの動作を図２によりより詳細に説明する。
図２は、スイッチ４と、音声信号を発生する集積回路５の具体的な構成を示した図面である。図２において、図１と同一の部分には同一の符合を付けてその説明を省略する。
図２において、２３は、フック２の下部２２の端部に設けられたスイッチ駆動片である。スイッチ４において、４１は第一のスイッチ、４２は第二のスイッチである。音声信号を発生するＩＣ（集積）回路５において、５１は第一の音声信号発生回路、５２はは第二の音声信号発生回路、５３はＩＣ（集積）回路５の電源である。
【０００７】
ハンガーの本体１に衣類等が掛けられていないた場合には、フック２はスプリング３により押し上げられて、上下方向の可動範囲の上部に保持されている。この状態においては、フック２の下部２２の端部に設けられたスイッチ駆動片２３は、スイッチ４の第一のスイッチ４１を動作させる位置にある。
ハンガーの本体１に衣類等が掛けられると、その重量により、フック２はスプリング３を押し下げて、上下方向の可動範囲の下部に引き下げられる。この状態においては、フック２の下部２２の端部に設けられたスイッチ駆動片２３は、スイッチ４の第二のスイッチ４２を動作させる位置にある。
このようにして、ハンガーの本体１に衣類等が掛けられたり、はずされたりした時に、この状態がスイッチ４により検出される。
音声信号を発生する集積回路５においては、スイッチ４の第一のスイッチ４１が動作すると第一の音声信号発生回路５１に記憶されていた音声または音楽の信号を一定時間発生させ、これをスピーカー６に供給して音声または音楽を発生させる。
【０００８】
スイッチ４の第一のスイッチ４１は、ハンガーの本体１に衣類等が掛けられた時動作するスイッチであるので、これにより動作される第一の音声信号発生回路５１に記憶される音声は、例えば
（１）お帰りなさい。
（２）お疲れさま。
（３）ご苦労様。
（４）こんにちは。
（５）こんばんわ。
（６）食事にしますか。
等の仕事等の疲れを癒す言葉がセットされている。
また、音声信号発生回路５１に音楽を記憶させる場合には、疲れを癒す内容のものが適当である。
【０００９】
又、スイッチ４の第二のスイッチ４２が動作すると第一の音声信号発生回路５２に記憶されていた音声または音楽の信号を一定時間発生させ、これをスピーカー６に供給して音声または音楽を発生させる。
スイッチ４の第二のスイッチ４２は、ハンガーの本体１から衣類等がはずされた時動作するスイッチであるので、これにより動作される第二の音声信号発生回路５１に記憶される音声は、例えば
（１）いってらっしゃい。
（２）バイバイ。
（３）頑張ってね。
（４）忘れ物はない。
（５）気おつけてね。
（６）おはよう。
（７）こんにちわ。
等の仕事等に出かける時に元気づける言葉がセットされている。
また、音声信号発生回路５１に音楽を記憶させる場合には、仕事等に出かける時に元気づける内容のものが適当である。
【００１０】
本発明の音を発生する機能を持ったりハンガーを、衣料品販売店等の営業の現場で使用する場合には、
スイッチ４の第一のスイッチ４１により動作される第一の音声信号発生回路５１に記憶される音声は、例えば
（１）いらっしゃいませ。
（２）こんにちは。
（３）ハンガーに掛けられた衣料品の説明。
等の顧客を引き付ける言葉が言葉がセットされている。
また、音声信号発生回路５１に音楽を記憶させる場合には、商品の特徴を表示する内容のものが適当である。
【００１１】
又、スイッチ４の第二のスイッチ４２により動作される第二の音声信号発生回路５１に記憶される音声は、例えば
（１）ありがとうございました。
（２）バイバイ。
（３）またきてね。
等の顧客に再度の来店を促す言葉がセットされている。
また、音声信号発生回路５１に音楽を記憶させる場合には、再度の来店を促す内容のものが適当である。
このように本発明の音を発生する機能を持ったりスイッチ４はは、ハンガーの本体１に衣類等が掛けられたり、はずされたりした時に、あらかじめ音声信号を発生する集積回路５に記憶させておいた音声や音楽をスピーカー６より発生させることが出来るので、音声信号発生回路に記憶される言葉や音楽は上記に説明したものに限定されることなく、用途に応じた適切な音声や音楽をきおくさせることによりその用途と機能を拡張することが可能である。
【００１２】
尚、上記の説明では検出手段のスイッチ４は、衣類等が掛けられたり、はずされたりした時を検出する２個のスイッチ４１，４２を使用した例について説明したが、スイッチ４には１個のスイッチを使用して衣類等が掛けられたり、はずされたりした状態を検出するように構成することも可能である。
又、検出手段のスイッチ４は、フック２の下部２２により動作されるような例について説明したが、スイッチ４をハンガーの衣類等が掛けられる位置にセットし、衣類等の重量により直接スイッチ４を動作させるように構成することも可能である。
又、音声信号を発生する集積回路５に、衣類等が掛けられた時発生する音と、衣類等がはずされた時発生する音を発生するために２個の集積回路５１，５２を使用した例について説明したが、音声信号を発生する集積回路５には、１個の集積回路を使用し、衣類等が掛けられた時発生する音と、衣類等がはずされた時発生する音を記憶させるようにすることも可能である。
【００１３】
【発明の効果】
以上の説明より明らかなように、本発明の音を発生する機能を持ったりハンガーは、ハンガーの本体の内部に音声信号を発生する集積回路と、この集積回路の信号を音声に変換するスピーカーを内蔵し、ハンガーの本体に衣類等が掛けられていかどうかの状態を検出し信号を発生するするスイッチを設け、ハンガーに衣類を掛けた時やはずした時に、音声や音楽等の音を発生するようにし、遊びの感覚を持たせたものである。
本発明によれば、ハンガーに、音声や音楽等の音を発生するようにした機能を付加することができるので、ハンガーの使用者に対しては、ハンガーに衣類を掛けた時やはずした時に、音声や音楽等の音を発生することにより、ハンガーの使用者にたいして癒しを与える機能を持ち、又、商品の陳列に使用する場合には販売促進の機能を付加するようにして、ハンガーの付加価値を増加させることが出来る。
【図面の簡単な説明】
【図１】本発明の音を発生する機能を持ったりハンガーの構成を説明する図である。
【図２】スイッチ４と、音声信号を発生する集積回路５の具体的な構成を示した図面である。
【符号の説明】
１・・・衣類等が掛けられるハンガーの本体，
２・・・ハンガーの本体１を洋服掛け等につるすためのフック，
２１・・・フック２の上部
２２・・・フック２の下部，
２３・・・スイッチ駆動片，
３・・・スプリング，
４・・・検出手段のスイッチ，
４１・・・第一のスイッチ，
４２・・・第二のスイッチ，
５・・・音声信号を発生する集積回路，
５１・・・第一の音声信号発生回路，
５２・・・第二の音声信号発生回路，
５３・・・集積回路５の電源，
６・・・スピーカー，
７
【図１】
2005034310.tif 000003
【図２】
2005034310.tif 000004